(57)【特許請求の範囲】
【請求項１】
左右の側板及び背板を有し、前記左右の側板間に棚板が架設されてなる棚と、該棚とは別個に構成され、自立可能な脚を有するテーブルと、からなり、前記棚における最下段の棚板の下方に、前記テーブルの少なくとも一部が収容可能な収容空間が形成されている家具ユニットであって、
前記収容空間内には、両端が前記左右の側板に支持される略垂直方向を向く補強板が、前記背板の前面から所定距離離間した前方位置に、前記収容空間内に収容される前記テーブルに当接可能に設けられていることを特徴とする家具ユニット。
【請求項２】
前記補強板は、前記テーブルの脚に当接可能な位置に設けられていることを特徴とする請求項１に記載の家具ユニット。
【請求項３】
前記補強板及び／または前記側板内面における前記テーブルとの当接部の少なくとも一部に緩衝材を設けたことを特徴とする請求項１または２に記載の家具ユニット。
【請求項４】
前記背板の前面と前記補強板との間に、配線を載置可能な水平板が取り付けられていることを特徴とする請求項１乃至３のいずれかに記載の家具ユニット。
【請求項５】
前記水平板は、前記左右の側板のうち少なくとも一方の側板の内面との間に、配線を挿通可能な配線空間が形成されるように配置されていることを特徴とする請求項１乃至４のいずれかに記載の家具ユニット。
【請求項６】
前記最下段の棚板はコンセントユニットを有し、且つ、前記テーブルが前記収容空間に収容された状態において、該テーブルの後端と背板との間に形成される隙間の上方を覆い、該棚板下面と前記テーブルの天板上面との間に所定の大きさの空間が形成されていることを特徴とする請求項１乃至５のいずれかに記載の家具ユニット。
【発明の詳細な説明】
【技術分野】
【０００１】
本発明は、左右の側板及び背板を有し、前記左右の側板間に棚板が架設されてなる棚と、該棚とは別個に構成され、自立可能な脚を有するテーブルと、からなり、前記棚における最下段の棚板の下方に、前記テーブルの少なくとも一部が収容可能な収容空間が形成されている家具ユニットに関する。
【背景技術】
【０００２】
従来、この種の家具ユニットとしては、例えば、自立できる脚を有する机部と、その机部よりも高い棚部とからなり、棚部の棚板の一部が水平状態と垂直状態とに移動可能に取り付けられており、該棚板が垂直状態にあるとき、机部の後方部分が棚板の下方に位置するように配置できるようになっているものがある（例えば、特許文献１参照）。
【０００３】
また、同一高さの棚面を有する複数のキャビネットと、各棚面と同一高さの天板面を有するテーブルとを具備し、テーブルを任意のキャビネットの前方に配置し、その天板面をキャビネットの棚面に略面一に連続させうるようにしたものがある（例えば、特許文献２参照）。
【０００４】
【特許文献１】実開昭６０−１３３４号公報（第１頁、第２図）
【特許文献２】特開平１０−１２７３８８号公報（段落００１３、第１図）
【発明の開示】
【発明が解決しようとする課題】
【０００５】
しかしながら、特許文献１に記載の棚付き机にあっては、机部の後方部分を棚部に配置した際に、収納場所を確保するために棚板を水平状態から垂直状態に移動しなければならず、しかも机部にて使用するパソコンや照明などの配線が背面側に露呈して見栄えが悪くなる虞があった。
【０００６】
また、特許文献２に記載の執務用設備にあっては、テーブルを単独で使用しない場合、テーブルをキャビネット側に収容しようとしてもテーブルの天板面とキャビネットの棚面とが直接衝突して収容しきれず、しかもどちらかあるいは双方衝突面が損傷する虞があった。
【０００７】
本発明は、このような問題点に着目してなされたもので、棚板の移動を伴うことなく収容空間内にテーブルを容易に収容でき、且つテーブル収容時にテーブルが背板に直接衝突することなく補強板に当接させて、背板の損傷または破損を防ぐことができる家具ユニットを提供することを目的とする。
【課題を解決するための手段】
【０００８】
前記課題を解決するために、本発明の請求項１に記載の家具ユニットは、左右の側板及び背板を有し、前記左右の側板間に棚板が架設されてなる棚と、該棚とは別個に構成され、自立可能な脚を有するテーブルと、からなり、前記棚における最下段の棚板の下方に、前記テーブルの少なくとも一部が収容可能な収容空間が形成されている家具ユニットであって、前記収容空間内には、両端が前記左右の側板に支持される略垂直方向を向く補強板が、前記背板の前面から所定距離離間した前方位置に、前記収容空間内に収容される前記テーブルに当接可能に設けられていることを特徴としている。
この特徴によれば、棚における左右の側板が補強板により支持されることで、棚の強度が効果的に高まるとともに、収容空間内に収容されたテーブルは補強板に当接され、テーブルが背板に直接衝突して該背板が損傷または破損することが防止されるので、棚の耐久性が向上する。
【０００９】
本発明の請求項２に記載の家具ユニットは、請求項１に記載の家具ユニットであって、前記補強板は、前記テーブルの脚に当接可能な位置に設けられていることを特徴としている。
この特徴によれば、収容空間内への収容時において、テーブルの天板上に載置される物品が補強板と当接すること等がないので、物品の損傷や破損が防止されるとともに、テーブルの収容時において補強板が天板下方に隠蔽されるので見栄えがよい。
【００１０】
本発明の請求項３に記載の家具ユニットは、請求項１または２に記載の家具ユニットであって、前記補強板及び／または前記側板内面における前記テーブルとの当接部の少なくとも一部に緩衝材を設けたことを特徴としている。
この特徴によれば、テーブルと補強板及び／または側板内面との当接時における衝撃が緩和されるため、テーブルや補強板、側板の損傷や破損が防止される。
【００１１】
本発明の請求項４に記載の家具ユニットは、請求項１乃至３のいずれかに記載の家具ユニットであって、前記背板の前面と前記補強板との間に、配線を載置可能な水平板が取り付けられていることを特徴としている。
この特徴によれば、テーブルが強く補強板に当接した場合でも、水平板により補強板の支持強度が高められると共に、水平板上にケーブルや電源コネクタ等を、補強板の背面側に見栄えよく収容することができる。
【００１２】
本発明の請求項５に記載の家具ユニットは、請求項１乃至４のいずれかに記載の家具ユニットであって、前記水平板は、前記左右の側板のうち少なくとも一方の側板の内面との間に、配線を挿通可能な配線空間が形成されるように配置されていることを特徴としている。
この特徴によれば、テーブルからの配線を配線空間を介して左右側方から下方に向けて配線することができる。テーブルからの配線を配線空間を介して左右側方から下方に向けて配線することができる。
【００１３】
本発明の請求項６に記載の家具ユニットは、請求項１乃至５のいずれかに記載の家具ユニットであって、前記最下段の棚板はコンセントユニットを有し、且つ、前記テーブルが前記収容空間に収容された状態において、該テーブルの後端と背板との間に形成される隙間の上方を覆い、該棚板下面と前記テーブルの天板上面との間に所定の大きさの空間が形成されていることを特徴としている。
この特徴によれば、テーブルを収容空間に収容した状態において、該テーブルの後端と背板前面との間に形成される隙間が最下段の棚板により覆われるため、見栄えがよいばかりか、天板上に載置した、例えばＯＡ機器等のコードを上方にあるコンセントユニットに配線しやすく、最下段の棚板下面とテーブルの天板上面との間に大きさの空間が形成されるため、収容時においてケーブル等が棚板とテーブルの天板との間に挟まれることなく多くのコードが配線できる配線スペースとして利用できる。
【発明を実施するための最良の形態】
【００１４】
本発明の実施例を以下に説明する。
【実施例】
【００１５】
本発明の実施例を図面に基づいて説明すると、図１は本発明の実施例における家具ユニットの全体像を示す斜視図であり、図２は家具ユニットを示す正面図であり、図３は図２のＡ−Ａ断面図であり、図４（ａ）は図２のＢ−Ｂ断面図であり、（ｂ）は図２のＣ−Ｃ断面図である。
【００１６】
本実施例における家具ユニット１は、図１〜図３に示されるように、左右の側板３，３及び背板４を有し、左右の側板３，３間に複数の棚板５ａ〜５ｃが上下方向に架設されてなる棚２と、該棚２とは別個に構成される自立可能なテーブル７と、から構成されており、前記棚２における最下段の棚板５ｃの下方には、図中２点鎖線で示されるように、テーブル７の後部を収容可能な収容空間Ｓが形成されている。
【００１７】
テーブル７は、図１に示すように、平面視長方形状の天板８と、該天板８の四隅を支持する４本の脚６と、から自立可能に構成されており、各脚６の下端に設けられたキャスター９を介して、床面Ｆ上を移動自在になっている。つまりテーブル７は、棚２から離れて独立した分離位置（例えば図１中実線位置）と、収容空間Ｓ内に後部が収容された収容位置（図１中２点鎖線位置）と、の双方において、天板８が脚６により支持された状態で使用できるようになっている。
【００１８】
棚２における左右の側板３，３は、図１に示されるように、その下半部の前後幅Ｌ２が上半部の前後幅Ｌ１よりも幅広に形成されており、収容空間Ｓ内に収容されるテーブル７の後部左右側を隠蔽できるようになっている。上半部の左右側板３，３間に所定間隔おきに配設される棚板５ａ〜５ｃの前後幅は、図３に示されるように、最上段の棚板５ａが最も幅広で、最下段の棚板５ｃが最も幅狭に形成されており、それぞれの棚板５ａ〜５ｃの前端部が下段になるほど後退しており、収容空間Ｓ内にテーブル７が収容されたときに、天板８上に載置された物品（例えばノートパソコンＮ等）や作業者の頭部とが干渉しないばかりでなく、テーブルを奥まで収容しても天板の利用面積を大きく確保することができる。
【００１９】
棚板５ａ〜５ｃのうちの最下段の棚板５ｃは、テーブル７が収容空間Ｓに収容された状態において、該テーブル７の天板８の後端と、背板４の前面との間に形成される隙間１０の上方を覆うとともに、該棚板５ｃ下面と天板８上面との間に、天板８上に載置されるノートパソコンＮからの通信ケーブルＫ等を挿通可能な所定の大きさの空間１１が形成されるように配置されている。
【００２０】
また、棚板５ｃの左右方向の中央位置には、天板８上に載置されるノートパソコンＮからの電源ケーブルＫ等のプラグ等を接続可能なコンセント本体１２が配設されており、その上面がカバー体１２ａにより覆われている。棚板５ｃの下面におけるコンセント１２の配置位置前方からは、垂直方向を向く閉塞板１３が下方に向けて垂設されており、コンセント１２本体下部が前方から見えないように隠蔽されている。該閉塞板１３は、下端が収容空間Ｓに収容されたテーブル７の天板８下面よりも下方位置まで延設されている。
【００２１】
棚板５ｃの下方には、垂直方向を向く補強板１４が、背板４の前面から所定距離離間した前方位置に配設されている。具体的には、補強板１４は、所定の上下幅を有する板材にて構成され、その両端は左右の側板３，３の内面に固着されているため、この補強板１４により左右の側板３，３の捩れ等に対する強度が高められている。
【００２２】
補強板１４は、特に図３に示されるように、収容空間Ｓ内に収容されるテーブル７の天板８よりも下方に配置されているとともに、その前面における左右側には、収容空間Ｓ内に収容されるテーブル７後側の左右脚６，６の上部に当接可能な緩衝材としてのゴムパッド１５，１５が取り付けられており、収容空間Ｓ内にテーブル７が収容されたときに、テーブル７の後側の左右脚６，６の上部所定箇所がゴムパッド１５，１５に当接し、テーブル７の後側への移動を規制規制されるようになっており、これにより天板８の後端が背板４に当接することが回避されている。
【００２３】
このようにゴムパッド１５，１５を介して脚６，６と当接するようにすることで、天板８の後端と背板４との当接が回避され、背板４の破損や損傷が防止されるとともに、脚６，６が補強板１４に直接当接することがなく、ゴムパッド１５，１５を介して当接することで、当接時における衝撃が緩和され、脚６，６や補強板１４の損傷や破損等が防止されるとともに、衝突音の発生が効果的に抑制される。
【００２４】
また、脚６，６がゴムパッド１５，１５を介して補強板１４に当接した状態において、図３に示されるように、天板８の後端部は棚板５ｃの下方に入り込むようになっており、棚板５ｃ下面と天板８上面との間には、天板８上に載置されたノートパソコンＮからのケーブルＫ等を挿通可能な左右方向に延びる所定の大きさの空間１１が形成されるとともに、天板８の後端面と閉塞板１３の前面との間には、所定の大きさの空間１１に挿通されたケーブルＫ等を下方の収容空間Ｓに向けて挿通可能な左右方向に延びる配線スペース２０が形成されるようになっている。
【００２５】
補強板１４と背板４との間には、左右方向に延びる水平板１６が配設されており、配線スペース２０を挿通されたケーブルＫ等をこの水平板１６の上面に載置して左右方向に配線できるようになっている。水平板１６は、補強板１４の上端よりも下方位置に配置され、前後端面が補強板１４の背面及び背板４の前面に固着されており、補強板１４と背板４と水平板１６とにより、上向きに開口する縦断面コ字状の配線スペースを形成するとともに、図４（ｂ）に示されるように、左右幅は左右側板３，３内面間の寸法よりも小寸に形成され、左右端面と左右の側板３，３の内面との間に配線スペース１８，１８が形成されるように配置されており、該配線スペース１８，１８を介して水平板１６上に配線されたケーブルＫを下方に挿通できるようになっている。なお、配線スペース１８，１８から下方に挿通したケーブルＫは、左右の側板３，３の下部に形成された配線用開口１９，１９を介して外部に延設できるようになっている。
【００２６】
また、図２及び図４（ａ）に示されるように、側板３，３の前端部における所定高さ位置には、収容空間Ｓ内に収容されるテーブル７の天板８の左右側端面それぞれに当接可能な緩衝材としてのゴムパッド１７，１７が取り付けられており、テーブル７の収容空間Ｓへの収容時において、側板３，３と天板８とが直接衝突することが回避されるようになっており、ゴムパッド１７，１７により側板３，３と天板８との衝突による衝撃が緩和されることで、側板３，３や天板８の損傷や破損が防止されるようになっている。なお、特に図４（ａ）に示されるように、収容空間Ｓ内への収容時において、天板８は、ゴムパッド１７，１７と当接しない左右幅を有しており、左右の側板３，３間に遊嵌されるようになっている。
【００２７】
次に、テーブル７を収容空間Ｓ内に収容した際の作用を説明する。テーブル７を単独で使用した後、棚２の下方の収容空間Ｓに収容する場合、先ず天板８の左右側端面が棚２の左右側板３，３と当接しないようにキャスター９を転がして収容空間Ｓへ移動させる。この際テーブル７が多少左右に振れたとしても、ゴムパッド１７，１７があるため側板３，３と天板８との衝突による衝撃が緩和される。
【００２８】
その後、テーブル７を背板４に向けて押し込むと、テーブル７の後方の２本の脚６，６が補強板１４の前面に設けたゴムパッド１５，１５と当接する。この場合、テーブル７を強く押し込んだとしても、ゴムパッド１５，１５により脚６，６や補強板１４の損傷や破損等が防止される。また脚６，６は直接背板４と衝接しないので、背板４に衝撃が加わることがない。
【００２９】
そして、テーブル７が収容空間Ｓに完全に収容されたとき、図３の２点鎖線で示すように、天板８上面と棚板５ｃ下面との間に左右方向に延在する所定の大きさの空間１１が、天板８の後端面と閉塞板１３の前面との間に左右方向に延在する配線スペース２０が確保される。
したがって、天板上に複数の電気機器類があってもこれら所定の大きさの空間１１、および配線スペース２０を介して複数のコードを配線することが可能である。また、コンセント本体１２が天板８より上方にある棚板５ｃに設けられているので、プラグ類をコンセントに容易に差し込むことができる。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、前記実施例では、テーブルの左右方向のぶれと、テーブルの下方を隠蔽する観点から、側板下方を前方に突出した例で説明したが、側板下方を必ず前方側へ突出させなくてもよい。また最下方の棚板５ｃは上段の棚板５ａ，５ｂに比べ、テーブルを奥まで収容しても天板の利用面積を大きく確保するために前方への突出長さを抑えているが、必ず最下方の棚の前後方向の長さを短くしなければならないものではない。
【図面の簡単な説明】
【００３２】
【図１】本発明の実施例における家具ユニットの全体像を示す斜視図である。
【図２】家具ユニットを示す正面図である。
【図３】図２のＡ−Ａ断面図である。
【図４】（ａ）は図２のＢ−Ｂ断面図であり、（ｂ）は図２のＣ−Ｃ断面図である。
【符号の説明】
【００３３】
１                家具ユニット
２                棚
３                側板
４                背板
５ａ〜５ｃ        棚板                
６                脚
７                テーブル
８                天板
９                キャスター
１０              隙間
１１              所定の大きさの空間
１２              コンセント本体
１２ａ            カバー体
１３              閉塞板
１４              補強板
１５              ゴムパッド
１６              水平板
１７              ゴムパッド
１８              配線スペース
１９              配線用開口
２０              配線スペース
Ｆ                床面
Ｋ                ケーブル
Ｎ                ノートパソコン
Ｓ                収容空間
【図１】
0004732859.tif 000002
【図２】
0004732859.tif 000003
【図３】
0004732859.tif 000004
【図４】
0004732859.tif 000005